(57)【要約】【課題】本発明は、投射型表示装置の使用、設置状況によらずさまざまな位置からリモコン操作を行うことを可能にし、さらに天吊り使用時における蛍光灯からリモコン受光部へのノイズを低減させる事を目的とする。【解決手段】リモコン操作機能を有した本発明の投射型表示装置１は、映像光をスクリーンに投影する投射レンズ３、投射レンズ３を保護する開閉自在なレンズカバー４、レンズカバー４に設けられたリモコン受光部５を備えて構成される。【選択図】  図１
2008256945.tif 000002
【特許請求の範囲】
【請求項１】
リモコン操作機能を有した投射型表示装置であって、
映像光をスクリーンに投影する投射レンズと、
前記投射レンズを保護する開閉自在なレンズカバーと、
前記レンズカバーに設けられたリモコン受光部と
を備える投射型表示装置。
【請求項２】
前記リモコン受光部は、前記レンズカバーが開状態のときに露出する位置に設けられる、請求項１に記載の投射型表示装置。
【請求項３】
前記レンズカバーは、前記投射型表示装置に対して上方に開くように連結するための第１の回動部と、開いた状態でさらに水平方向に回転するための第２の回動部とを備える、請求項２に記載の投射型表示装置。
【請求項４】
前記レンズカバーは、前記投射型表示装置に対して着脱可能に構成され、
前記投射型表示装置は、脱状態の前記レンズカバーを前記リモコン受光部として設置可能な少なくとも１つ以上のコネクターを備える、請求項１に記載の投射型表示装置。
【発明の詳細な説明】
【技術分野】
【０００１】
本発明は、リモコン操作機能を有した投射型表示装置に関する。
【背景技術】
【０００２】
従来、投射型表示装置、例えば表示デバイスを液晶パネルとした投射型表示装置は、光源用ランプより発光されリフレクタで反射された光を複数のダイクロイックミラーを介して所定の色光に分光し、各色光を偏光ビームスプリッタを介して各Ｒ、Ｇ、Ｂの色光に対応する液晶パネルに入光して映像信号等で変調する。その後、各色光をダイクロイックミラーやダイクロイックプリズムを介して集光し、投射レンズよりスクリーン上に投影するようになっている。このように、光源用ランプ、光学部品、液晶パネルなどの表示デバイスおよび映像等を制御する制御基板、電源基板等を筐体内に収容し、同筐体の前部に前記投射レンズを配置して投射型表示装置を構成している。
【０００３】
また、多くの投射型表示装置には投射型表示装置本体を外部から制御するためのリモコン機能を有し、リモコン信号を受信する部分としてフォトダイオード等からなるリモコン受光部を備えている。
【０００４】
さらに投射型表示装置の非動作時は、投射レンズを保護するため、あるいは防塵のために投射レンズにレンズカバーを被せるようにしている。
【０００５】
従来の投射型表示装置において、リモコン受光部は投射型表示装置本体の前面に備えられたものや投射型表示装置本体の後面に備えられたもの、さらには投射型表示装置本体の前面、後面両方に備えられたものが知られている。
【０００６】
上記の様な従来の投射型表示装置でリモコン受光部が投射型表示装置本体の前面あるいは後面の片方のみに配置されているものでは、リモコン受光部の配置されていない側からリモコン操作をした時にリモコン送信機からの送信信号が受信できないという問題があった。また、その問題に対応して、投射型表示装置本体の前面、後面両方に備えられたものについては、前後面側からのリモコン信号は受信可能なものの、左右方向からのリモコン信号は受信できず、さらにリモコン受光部を２個追加する必要があり、コストが増大し、２個追加するためのスペースが必要となるために、投射型表示装置本体の小型化への妨げとなっている。
【０００７】
また、投射型表示装置本体を部屋の天井に取り付けて使用する場合では、部屋の照明用の蛍光灯等がそばになる場合が多く、この蛍光灯からの光線がリモコン受光部へのリモコン信号のノイズとなって、リモコン制御の信頼性を低下させるという問題があった。
【０００８】
これらの問題への対策のため、特許文献１において、投射型表示装置本体前側に反射板を装備して、後側からのリモコン送信信号を前面のリモコン受光部に導くようにしたものや、特許文献２において、リモコン受光部の前に移動可能な遮光板を配置して、天吊り使用時の蛍光灯からのノイズを低減させるものが提案されている。
【０００９】
【特許文献１】実用新案登録第３０９３２８０号
【特許文献２】特開２０００−４９３６４号公報
【発明の開示】
【発明が解決しようとする課題】
【００１０】
特許文献１の技術では、投射型表示装置本体後側からのリモコン操作には対応できるものの、側面側からの操作には対応ができない。また天吊り使用時の蛍光灯からのノイズを低減させることができないという課題があった。
【００１１】
特許文献２の技術では、天吊り使用時の蛍光灯からのノイズを低減させるものの、投射型表示装置本体真下からのリモコン操作には対応ができない。またリモコン受光部の配置されていない側からリモコン操作をした場合も、送信信号が受信できないという課題があった。
【００１２】
この発明はこのような課題を解決するためになされたもので、投射型表示装置の使用、設置状況によらずさまざまな位置からリモコン操作を行うことを可能にし、さらに天吊り使用時の蛍光灯からのノイズを低減させる事を目的とする。
【課題を解決するための手段】
【００１３】
上記課題を解決するために、リモコン操作機能を有した本発明の投射型表示装置は、映像光をスクリーンに投影する投射レンズ、投射レンズを保護する開閉自在なレンズカバー、レンズカバーに設けられたリモコン受光部を備えて構成される。
【発明の効果】
【００１４】
この発明に係わる投射型表示装置によれば、レンズカバーにリモコン受光部を設けることにより、投射型表示装置の使用、設置状況に応じてリモコン受光部の位置、向きを変えることができ、ひとつのリモコン受光部で、常にリモコン信号が良好な状態で受信可能になる。
【００１５】
また、天吊り使用時において、リモコン受光部を床面方向に向けさせることができ、蛍光灯からのノイズも低減させることができる。
【００１６】
さらに、レンズカバーにリモコン受光部を配置することにより、投射型表示装置本体内部にリモコン受光部を配置する必要がなく、投射型表示装置本体を小型化でき、リモコン受光部がひとつで済むために、リモコン受光部を前後に２つ設置する場合と比較してコスト削減にも寄与する。
【発明を実施するための最良の形態】
【００１７】
以下、この発明をその実施の形態を示す図面に基づいて具体的に説明する。
【００１８】
＜実施の形態１＞
（構成）
図１は本発明の投射型表示装置の実施の形態１を説明するための斜視図である。図１に基づいて説明する。投射型表示装置１は、筐体２前部に投射レンズ３が配置され、筐体２内には、図示されていないが、光源用ランプ、リフレクタやミラーやプリズム等の光学部品、および液晶パネルのような表示デバイスなどが配置されて光路が形成され、投射レンズ３を介して前方のスクリーン上に映像等が投影される。
【００１９】
実施の形態１における投射型表示装置１においては、筐体２前部の投射レンズ３を保護するためのレンズカバー４は、投射型表示装置１を外部から制御するためのリモコン信号を受信する、フォトダイオード等からなるリモコン受光部５を備えている。
【００２０】
レンズカバー４は、上方に開くように筐体２と連結されるための回動部６（第１の回動部）が設けられ、さらに回動部６はもうひとつの回動部７（第２の回動部）とも連結されており、レンズカバー４により投射のために投射レンズ３を露出させたり、保護のために覆う事が可能になる。
【００２１】
また、レンズカバー４は端部に係合爪８、８ａを有し、筐体２は、投射レンズ３の下部に係合爪８ａに対応した係合孔９ａ、天板２１に係合爪８に対応した係合孔９を備えている。
【００２２】
リモコン受光部５は、リード線等の線材により筐体２内の図示されていない電気回路と接続されており、リモコン受光部５から受け取った信号にて投射型表示装置１本体の制御が可能となる。
【００２３】
（動作）
次に、動作について説明する。
【００２４】
レンズカバー４が投射レンズ３を覆う位置にあるとき、すなわちセットを使用しないときには、レンズカバー４の係合爪８ａが筐体２側の係合孔９ａと係合し保持される。この状態により投射レンズ３は保護されることが可能となる。
【００２５】
次にレンズカバー４が投射レンズ３を露出させる位置にあるとき、すなわちセットを使用するときには、レンズカバー４が回動部６により所望の開角度で上方に開かれ、リモコン受光部５が前面に露出されることになる。さらにレンズカバー４は回動部６に連結されたもうひとつの回動部７により水平方向に回転させることができるので、リモコン受光部５を水平方向３６０°あらゆる方向に向けることが可能となる。
【００２６】
さらに、投射型表示装置１を天吊り状態にて使用する場合には、天板２１が床面方向になるように設置され、リモコン使用者は筐体２の天板２１に向けてリモコン操作をすることになる。従って、レンズカバー４を回動部６を中心に上方に回転させて、レンズカバー４の係合爪８と、筐体２側の係合孔９とを係合させ保持させることで、リモコン受光部はリモコン送信者の方に向けられる。
【００２７】
（効果）
リモコン送信者のいる位置に合わせてリモコン受光部の方向を変更することができるので、投射型表示装置１の設置場所に制約がなくなり、使いやすい投射型表示装置１を提供することが可能となる。
【００２８】
さらに、投射型表示装置１を天吊り状態にて使用する場合には、レンズカバー４を天板２１と平行の位置、すなわちリモコン受光部５を床面方向に固定することにより、リモコン受光部を蛍光灯の光の影響を受けにくい位置に配置することが可能となり、蛍光灯からのノイズを低減させることができる。
【００２９】
なお、レンズカバー４と筐体２との係合は係合爪によらなくても良く、例えば磁力や回動部の摩擦抵抗を高く設定するなどして投射レンズを露出する位置に保持できれば良い。
【００３０】
また、レンズカバー４が投射レンズ３を覆う位置にあるとき、すなわちセットを使用しないときには、本来使用しないスペースをリモコン受光部５の収納場所として活用できる。そのため、筐体２内部のスペースをリモコン受光部５のために割く必要がなく、筐体２を小型化できるという効果がある。また、リモコン受光部５が一つで済むために、リモコン受光部５を前後に２つ設置する場合と比較してコスト削減にも寄与する。
【００３１】
＜実施の形態２＞
（構成）
図２、３は本発明の投射型表示装置の実施の形態２を説明するための斜視図である。
【００３２】
投射型表示装置１は、実施の形態１と同様に筐体２前部に投射レンズ３が配置され、投射レンズ３を保護するためのレンズカバー４は、投射型表示装置１を外部から制御するためのリモコン信号を受信する、フォトダイオード等からなるリモコン受光部５を備えている。
【００３３】
但し、本実施の形態に係る投射型表示装置１のレンズカバー４は、実施の形態１で示したような回動部や係合爪を有さず、また投射型表示装置１から取り外し可能な構成となっている。さらに、投射型表示装置１と構造的・電気的に連結が可能なコネクター１０を備えている。
【００３４】
投射型表示装置１の本体側は、実施の形態１で示したような係合孔を有さず、またリモコン受光部５付きレンズカバー４のコネクター１０と構造的・電気的に連結するための、少なくとも１つ以上のコネクター１１、１１ａが備えられている。コネクター１１、１１ａは筐体２内の図示されていない電気回路と接続されており、リモコン受光部５から受け取った信号にて投射型表示装置１本体の制御が可能となる。
【００３５】
その他の構成に関しては、実施の形態１と同様であるので、ここでの詳細な説明は省略する。
【００３６】
（動作）
次に、動作について説明する。
【００３７】
リモコン受光部付きレンズカバー４が投射レンズ３を覆う位置にあるとき、すなわちセットを使用しないときにはレンズカバー４と投射レンズ３は、円筒部で嵌合されて保持されている。この状態により投射レンズ３は保護されることが可能となる。このとき、リモコン受光部５は露出しない位置に設けられるのが好ましい。
【００３８】
次にセットを使用するときには、レンズカバー４を投射レンズ３から取り外し、レンズカバー４のコネクター１０を投射型表示装置１の本体側コネクター１１または１１ａに連結させることにより、投射型表示装置１本体に固定されるとともに、リモコン受光部５をリモコン使用者の方に向けることが可能となる。
【００３９】
例えば、投射型表示装置１を天吊り状態にて使用する場合には、図３のようにレンズカバー４を天板２１と平行の位置、すなわちリモコン受光部５を床面方向に固定するために投射型表示装置１のコネクター１１ａに固定すればよい。
【００４０】
（効果）
この実施の形態２によれば、レンズカバー４を投射型表示装置１の任意のコネクター１１、１１ａの位置に確実に固定することが可能となり、リモコン送信者のいる位置に合わせてリモコン受光部の位置を変更することができるので、投射型表示装置１の設置場所に制約がなくなり、使いやすい投射型表示装置１を提供することが可能となる。特に投射型表示装置１を天吊り等の所定の位置に恒久的に設置する場合には、レンズカバー４の設置位置を使用者が自由に選択でき、恒久的に確実な固定が可能となる。
【００４１】
また、投射型表示装置１を天吊り状態にて使用する場合には、レンズカバー４をコネクター１１ａに固定することにより、リモコン受光部を蛍光灯の光の影響を受けにくい位置に配置することが可能となり、蛍光灯からのノイズを低減させることができる。
【００４２】
なお、投射型表示装置１の本体側に設置するコネクターは前面、天面の２ヶ所だけではなく後面、左右面にそれぞれ、または全部の面に設置されることが好ましい。
【図面の簡単な説明】
【００４３】
【図１】本発明の実施の形態１に係る投射型表示装置の斜視図である。
【図２】本発明の実施の形態２に係る投射型表示装置の斜視図である。
【図３】本発明の実施の形態２に係る投射型表示装置の斜視図である。
【符号の説明】
【００４４】
１  投射型表示装置、２  筐体、３  投射レンズ、４  リモコン受光部付きレンズカバー、５  リモコン受光部、６，７  回動部、８，８ａ  係合爪、９，９ａ  係合孔、１０，１１，１１ａ  コネクター。
【図１】
2008256945.tif 000003
【図２】
2008256945.tif 000004
【図３】
2008256945.tif 000005